(57)【要約】【課題】切断した粘着テープの巻き側の端がテープ巻体に再び貼り付き、次に使用する時に端が探しにくい、また、テープの端を指先で摘みにくい。【解決手段】テープカッターのベース板２の一辺より刃３を外向きに突き出し、また、ベース板２の両側辺のアーム４によりテープ巻体に抱きつかせて、テープカッターを該巻体に沿って移動できるようにし、さらに、ベース板２の刃３と対向する辺から部材５を突き出し、部材５は適切な位置で外向きのＵ字形に曲がって折り返し、折り返した部分は貼り付き面５ａとなり、先端は刃先３ａと同じ高さにし、かつ、刃先３ａとの間に隙間を開ける。前記Ｕ字形を巻戻したテープの粘着面に当る向きにしてテープカッターを該巻体に装着し、巻戻したテープを刃に引きつければ、テープの粘着面は刃より先に貼り付き面５ａに貼り付き、さらに引きつければテープは刃に当たって切断される。【選択図】図１
2012046351.tif 000002
【特許請求の範囲】
【請求項１】
粘着テープ巻体に装着して粘着テープを必要な長さだけ切り取るための金具として、テープ巻体の外周に当接さすための四角形のベース板を有し、ベース板のテープを直角に横切る一辺をさらに延長して、延長した部分をテープ巻体の外向きに突き出る方向に曲げてテープを切断するための刃とし、また、ベース板の側辺の部分はテープ巻体の両側面方向に突き出てアームとなり、この両側のアームをコの字形に曲げてテープ巻体に抱きつかせて、ベース板と刃をテープ巻体の円周に沿って自由に移動できるようにした該金具にあって、切断したテープの巻体側の端が再びテープ巻体に貼り付くことが無いようにするために、かつ、次に使用する時にテープの端を摘み易くするために、前記ベース板の刃と対向する辺から刃の反対側に伸ばした部材を設け、該部材を適切な位置でテープ巻体の外向きに曲げて、さらに、刃の方向に曲げ返して、曲げ返した部分はテープの貼り付け面とし、該部材の先端の辺は前記刃の刃先と概ね同じ高さにして、かつ、刃先との間に指の先が少し入る程度の隙間を開けた形にして、前記部材の曲げた部分を巻き戻したテープの粘着面に当接する向きにして該金具をテープ巻体に装着し、切り取るために巻き戻したテープを刃に引きつけて切断しようとすれば、テープの粘着面は刃の刃先に当たるより先に前記貼り付け面に当って貼り付き、さらに、テープを刃に引きつければテープの面が刃に当たってテープは切断され、巻き側に残ったテープは前記貼り付け面から刃の刃先に渡ってテープの切断端は刃先に残ることで、巻体側のテープの端が再び巻体に貼りつくことが無く、また、次に使用する時には前記該部材の先端の辺と刃先との間の隙間に指の先を差し込んでテープを外側に撥ね上げ、撥ね上げた部分を指で摘んで前記貼り付け面から引き剥がしてテープを巻き戻せるようにした事を特徴とする粘着テープの切り取り金具。
【発明の詳細な説明】
【技術分野】
【０００１】  巻体になった粘着テープ（粘着テープは以下テープと記す）を手で巻き戻して必要な長さだけ切り取る金具に関する。
【背景技術】
【０００２】  事務用などに使用するテープを必要な長さだけ切り取る方法として、テープ巻体の外側に刃を突き出し、刃と一体になった部材をテープ巻体に抱きつかせて該巻体の円周に沿って刃を自由に移動できるようにした金具を該巻体に装着し、テープの端を指で摘んで必要な長さだけ巻き戻してテープを刃に引き付けて切断する。あるいは、卓上式のテープカッターから必要な長さだけテープを引き出し、該テープカッターに装着されている刃にテープを引き付けて切断するなどの方法が一般的に用いられている。
【先行技術文献】
【実用新案文献】
【０００３】
【実用新案文献１】
実用新案登録第３１００６６５号
【発明の概要】
【発明が解決しようとする課題】
【０００４】  従来の方法では切断したのちに前記金具が移動し、テープの巻き側の部分がテープ巻体に再び貼り付き、次に使用する時にテープの端が探しにくく、やっと探して、爪の先でテープの端を掻き起こして指先で摘めるようにするのが大変面倒な作業である。【０００５】  また、前記実用新案文献１によれば、テープを切断した時に、切断したテープの巻体側の端を刃と一体になった貼り付け用部分に貼り付けておいて、次に使う時にはそこからテープを剥がして巻き戻す方法である。この方法の問題は、テープを切断したはずみでカッターが移動して巻体側の端が該巻体に再び貼り付いてしまうこと、また、切断する度にテープを該貼り付け用部分に貼り付ける手間が余分にかかること、さらに、切断した時に該貼り付け用部分に貼り忘れること等である。【０００６】  そこで、本発明は、テープを切断した時に、テープの巻体側の端がテープ巻体に再び貼り付かないようにし、次に使用する時にテープの端を指先で簡単に摘めるようにし、さらに、安価で製造できる事を目的とする。
【課題を解決するための手段】
【０００７】  前記目的を達成するために、本発明のテープカッターには、テープ巻体に装着した時に該巻体の外周に当接するための四角形のベース板があり、ベース板のテープを直角に横切る一辺の部分を巻き方向に延長して、延長した部分を該巻体の外向きに突き出る方向に曲げてテープを横切る幅の刃とし、刃先は鋸形にする。また、ベース板の側辺の部分は該巻体の両側面方向に突き出てアームになり、この両側のアームをコの字形に曲げて該巻体に抱きつかせ、テープカッターを該巻体の円周に沿って自由に移動できるようにする。さらに、ベース板の刃と対向する辺からテープと同じ幅になって刃と反対方向に伸びた部材があり、該部材は適切な位置で該巻体の外向きにＵ字形に曲がって、外向きに拡がりながら刃に向かって折り返し、折り返した部分はテープの貼り付き面となり、該部材の先端の辺は刃先とほぼ同じ高さにし、かつ、刃先との間に指の先が少し入る程度の隙間を開ける。【０００８】  テープカッターをテープ巻体に装着する向きは、前記Ｕ字形の外面を巻き戻したテープの粘着面に当接できるようにする。【０００９】テープカッターをテープ巻体に装着して必要な長さだけ切り取るには、テープの端を指で摘んで巻き戻し、別の手の指でテープカッターの前記Ｕ字形を巻き戻したテープの根本の粘着面にあてがい、そして、テープの面を刃先に引きつければ、テープの粘着面は刃先に当たるよりさきに前記貼り付き面に当たって貼り付き、さらに引きつければテープの面が刃先に当たってテープは切断される。【００１０】  切り取られて残った巻き側のテープは前記貼り付き面に貼り付き、さらに刃先まで渡って、テープの切断端は刃先に残る。【００１１】  次に使用する時は、前記Ｕ字形に折り返した部材の先端と、刃先の間の隙間に指の先を少し差し込んでテープを外側に撥ね上げ、撥ね上げた部分を指で摘んで前記貼り付き面から引き剥がしてテープを巻き戻す。
【発明の効果】
【００１２】  本発明のテープカッターでテープを切断すれば、テープは切断される前に前記貼り付き面に貼り付くので、テープの巻体側の端がテープ巻体に再び貼りつくことはなく、また、次に使用する時にはテープの端を前述の如く簡単に摘んで巻き戻すことができる。さらに、本テープカッターは、前述のベース板と、刃と、アームと、Ｕ字形に曲がって貼り付き面となる部材を一体にして１枚の鋼板から切り取り、曲げるだけで作れるので、安価に製造することができる。
【図面の簡単な説明】
【００１３】
【図１】図１は本発明のテープカッターの実施の形態を表す斜視図である。
【図２】図２は本発明のテープカッターの実施の形態を表す、テープ巻体に装着した状態の正面図である。
【発明を実施するための形態】
【００１４】  本発明のテープカッターの実施の形態を図１と図２を参照して説明する。
【００１５】  ２はテープカッターをテープ巻体１に装着した時に該巻体１の外周に当接するための四角形のベース板であり、ベース板２のテープを直角に横切る一辺の部分を巻き方向に延長して、延長した部分は該巻体１の外向きに突き出る方向に直角に曲げ、テープを横切る幅の刃３になり、刃先３ａは鋸形にする。また、ベース板２の側辺の部分は該巻体１の両側面方向に突き出てアーム４となり、この両側のアーム４をコの字形に曲げて該巻体１に抱きつかせ、テープカッターを該巻体１の円周に沿って自由に移動できるようにする。
【００１６】  ベース板２の刃３と対向する辺からテープと同じ幅になって刃と反対方向に伸びる部材５があり、該部材５は適切な位置で該巻体１の外向きにＵ字形に曲がって、外向きに拡がりながら刃の方向に折り返して、折り返した部分はテープの貼り付き面５ａとなり、該部材５の先端の辺は刃先３ａとほぼ同じ高さにし、かつ、刃先３ａとの間に指の先が少し入る程度の隙間を開ける。
【００１７】  前記部材５は幅の中心に長円穴５ｂを持ち、長円穴５ｂの長さはベース板２の刃３と対向する辺から始まり、貼り付き面５ａの中心付近で終わる。長円穴５ｂの役目は、部材５のＵ字形に曲げた部分の有効幅を少なくして撓み易くするためである。
【００１８】  テープカッターの前記Ｕ字形の外面を、巻き戻したテープの粘着面に当接出来る向きにしてテープ巻体１に装着して、必要な長さだけ切り取るには、テープの端を指で摘んで巻き戻し、別の手の指でテープカッターの前記Ｕ字形を巻き戻したテープの粘着面にあてがい、そして、テープを刃先３ａに引きつけようとすれば、テープの粘着面は刃先３ａに当たるよりさきに貼り付け面５ａに当たり、さらに引きつければ前記Ｕ字形が僅かに撓んでテープは確実に貼り付き面５ａに貼り付き、次にテープの面が刃先３ａに当たってテープは切断される。
【００１９】  切り取られて残った巻き側のテープは貼り付き面５ａに貼り付き、さらに刃先３ａまで渡って、テープの切断端は刃先３ａに残る。
【００２０】    次に使用する時は、部材５の先端と、刃先３ａの間の隙間に指の先を少し差し込んでテープを外側に撥ね上げ、撥ね上げた部分を指で摘んで貼り付き面５ａから引き剥がしてテープを巻き戻す。
【符号の説明】  １    テープ巻体
２    ベース板
３    刃
３ａ  刃先
４    アーム
５    刃と反対方向に伸びた部材
５ａ  貼り付き面
５ｂ  長円穴
【図１】
2012046351.tif 000003
【図２】
2012046351.tif 000004